(57)【要約】【課題】花火火薬への着火が容易で、確実な着火が確保され、安全性の高い玩具花火を提供する。【解決手段】柄棒１の手前側を手持部１ａとし、前記柄棒の前半側１ｂに、花火火薬２を充填した薬筒３を取り付け、硝酸カリウム溶液に浸漬又は塗布させたのち乾燥させた導火紙片５を、その一部が前記花火火薬２に接する状態で前記薬筒３の先端に取り付けたことを特徴とする。導火紙片５としては薄紙に硝酸カリウムを含浸又は塗布させたものが好適である。前記薬筒３とその外周面を覆う外装材６との間に前記導火紙片５の手前部分５ｂを挟み込んで接着した構造とすることが望ましい。前記導火紙片５が前記薬筒３の先端で捩られた構造とすることが望ましい。前記薬筒３の先端部に着火薬２ｄを付着させることが推奨される。【選択図】図３
0003167812.tif 000002
【実用新案登録請求の範囲】
【請求項１】
柄棒の手前側を手持部とし、前記柄棒の前半側に、花火火薬を充填した薬筒を取り付け、硝酸カリウム溶液に浸漬又は塗布させたのち乾燥させた導火紙片を、その一部が前記花火火薬に接する状態で前記薬筒の先端に取り付けたことを特徴とする、玩具花火。
【請求項２】
柄棒の手前側を手持部とし、前記柄棒の前半側に、花火火薬を充填し先端部に着火薬を付着させた薬筒を取り付け、硝酸カリウム溶液に浸漬又は塗布させたのち乾燥させた導火紙片を、その一部が前記着火薬に接する状態で前記薬筒の先端に取り付けたことを特徴とする、玩具花火。
【請求項３】
前記導火紙片が薄紙に硝酸カリウムを浸漬又は塗布させたのち乾燥させたものであることを特徴とする、請求項１又は２に記載の玩具花火。
【請求項４】
前記薬筒とその外周面を覆う外装材との間に前記導火紙片の手前部分を挟み込んで接着したことを特徴とする、請求項１乃至３のいずれか１項に記載の玩具花火。
【請求項５】
前記導火紙片が前記薬筒の先端で捩られていることを特徴とする、請求項１乃至４のいずれか１項に記載の玩具花火。
【考案の詳細な説明】
【技術分野】
【０００１】
本考案は、着火性能に優れた玩具花火に関するものである。
【背景技術】
【０００２】
従来の玩具花火の多くは、先端に着火のための薄紙を有し、これにローソクで着火するようになっている。
しかしながら、ローソク等の炎は僅かな風でも消えることが多く、また、花火が湿っていると着火が困難となり、着火に失敗することも多かった。着火途中で立ち消えた花火の状態を確認するため顔を近づけたり、再点火したりしたとき、突然花火が噴射し、事故につながる危険もあった。
そのような事故を防ぐため、花火とは別に下記特許文献１に記載のような玩具花火用の特別の点火具も開示されている。
【先行技術文献】
【特許文献】
【０００３】
【特許文献１】特開２００６−１３８５７４号公報
【考案の概要】
【考案が解決しようとする課題】
【０００４】
本考案の目的とするところは、通常のローソクの炎で容易に点火でき、途中で立ち消えることのない導火紙片を有する安全性の高い玩具花火を提供せんとするにある。
【課題を解決するための手段】
【０００５】
上記目的を達成するため、本発明に係る玩具花火は、柄棒の手前側を手持部とし、前記柄棒の前半側に、花火火薬を充填した薬筒を取り付け、硝酸カリウム溶液に浸漬又は塗布させたのち乾燥させた導火紙片を、その一部が前記花火火薬に接する状態で前記薬筒の先端に取り付けたことを特徴とする。
或いはまた、前記薬筒の先端に着火薬を付着させ、前記導火紙片の一部が前記着火薬に接する状態で導火紙片を前記薬筒の先端に取り付けるように構成してもよい。
前記導火紙片は、薄紙に硝酸カリウムを浸漬又は塗布させたのち乾燥させたものであることが推奨される。
また、前記薬筒とその外周面を覆う外装材との間に前記導火紙片の手前部分を挟み込んで接着した構造とすることが推奨される。
また、前記導火紙片が前記薬筒の先端で捩られているようにすることが望ましい。
【考案の効果】
【０００６】
前記導火紙片に硝酸カリウムを含浸又は塗布させることにより、硝酸カリウムの酸化剤としての機能によって、導火紙片が立ち消えることなく花火火薬若しくは着火薬への確実な着火が確保されるものである。
【図面の簡単な説明】
【０００７】
【図１】本考案に係る玩具花火の一実施例を示す側面図である。
【図２】図１に示した玩具花火の断面図である。
【図３】図２に示した玩具花火の断面図の要部拡大図である。
【考案を実施するための形態】
【０００８】
以下、本考案に係る玩具花火の好ましい実施形態を図面に基いて説明するが、本考案はこの実施例に限らず、本考案の技術的範囲内で、例えば花火の形態やデザイン上の理由等によりさまざまに設計変更し得るものである。
【０００９】
図示した実施例における本考案に係る玩具花火１０は、図１〜図３に示すように、基本的に、柄棒１と、花火火薬２を詰めた薬筒３と、薬筒３の先端に取り付けられた導火紙片５と、柄棒１及び薬筒３の外面に巻き付けられて両者を互いに固定する外装材６と、から構成され、着火性能を向上させるために、前記導火紙片５に硝酸カリウムを含浸又は塗布させたことを特徴とするものである。
導火紙片５は、好適には、薄紙に硝酸カリウムを含浸又は塗布させたものであり、硝酸カリウム溶液を薄紙に塗布したのち乾燥させたり、硝酸カリウム溶液に薄紙を浸漬したのち乾燥させたりして作製される。通常は、大サイズの薄紙若しくは長いテープ状の薄紙に、硝酸カリウム溶液を塗布又は浸漬させたのち乾燥させ、所定のサイズに裁断して導火紙片５とする。
導火紙片５として、上記の如く、硝酸カリウムを含浸又は塗布させたものを用いることにより、硝酸カリウムの酸化剤としての機能によって、導火紙片５が途中で立ち消えることがなくなり、花火火薬への確実な着火が確保されるものである。
導火紙片５の手前部分５ｂは、図２及び第３図に示すように、薬筒３とその外周面を覆う外装材６との間に挟み込んで接着することにより、着火薬２ｄを介して花火火薬２への点火が確実に行われるようになっている。
また、図示するように、導火紙片５を薬筒３の先端で捩（よじ）って、捩り部５ｃを形成しておくことにより、導火紙片５の一部が着火薬２ｄと確実に接触し（着火薬２ｄを設けない場合は、花火火薬２と確実に接触し）、花火火薬２への確実な着火が可能となるものである。
【００１０】
柄棒１としては、竹棒や針金が用いられる。
薬筒３には、先端側から、例えば赤発色火薬２ａ、緑発色火薬２ｂ、黄発色火薬２ｃが充填されており、花火開始から終了までの時間経過に応じて噴射火花の色が変化するようになっている。薬筒３の最も手前には、火薬の漏れを防ぐと共に、炎が手元まで及ばないようにするための石こうから成る底止め４が設けられている。
また、薬筒３の先端には望ましくは着火薬２ｄを付着させ、導火紙片５から赤発色火薬２ａへの導火を確実化し得るようにする。
【００１１】
製造時には、薬筒３に前記の如き底止め４や各種火薬２ａ〜２ｃを充填し、望ましくは薬筒３の先端に着火薬２ｄを付着させ、乾燥させたのち、薬筒３の先端部外周面を前記導火紙片５の手前部分５ｂでくるみ、必要に応じて糊付けしたのち、導火紙片５を薬筒３の先端で１〜２回捩り、然るのち、薬筒３を柄棒１の前半部１ｂに取り付ける。
薬筒３の柄棒１への取付けは、両者を平行に揃え持った状態で両者の外周をテープ状のホイル又は紙等から成る外装材６を螺旋状に巻き付けながら糊付けすることにより、薬筒３と柄棒１を固定することができる。
花火１０の使用時には、先端の導火紙片５の点火部５ａにローソク２０等で点火することにより、導火紙片５に含浸又は塗布された硝酸カリウムの酸化作用により立ち消えや着火不良を生じることなく、着火薬２ｄから花火火薬２ａ〜２ｃへと確実に着火できるものである。
【００１２】
なお、本考案に係る玩具花火の各部の寸法（単位：ｍｍ）の一例は、図２に示した例において、導火紙片５の点火部５ａを除く花火全体の長さａ＝２１５、手持ち部１ａの長さｂ＝１２７、柄棒１と薬筒３との接合部の長さｃ＝８３、薬筒３の花火火薬の充填部の長さｄ＝６８、薬筒３の底止め４の長さｅ＝２０、導火紙片５の点火部５ａの長さｆ＝３０、柄棒１の直径ｇ＝２、薬筒３の直径ｆ＝４である。
【００１３】
なお、本考案は上記の実施例に限定されず、実用新案登録請求の範囲に記載した技術的事項に含まれるすべての変更実施例を包摂するものである。
【産業上の利用可能性】
【００１４】
本考案に係る玩具花火においては、導火紙片に硝酸カリウムを含浸又は塗布させたことにより、着火不良や立ち消えを生じることがなくなり、花火火薬への確実な着火が確保され、着火が容易で、安全性の高い玩具花火を提供することができる。
【符号の説明】
【００１５】
１      柄棒
２      花火火薬
３      薬筒
４      石こう等から成る底止め
５      導火紙片
６      ホイル等から成る外装材
２ａ    赤発色火薬
２ｂ    緑発色火薬
２ｃ    黄発色火薬
２ｄ    着火薬
５ａ    点火部
５ｂ    手前部分
５ｃ    捩り部
１０    玩具花火
２０    点火用ローソク
【図１】
0003167812.tif 000003
【図２】
0003167812.tif 000004
【図３】
0003167812.tif 000005